(57)【要約】【課題】印刷対象となる表データの形式を変更せずに、一度に複数のフォーマットを印刷し、表データの各帳票への印刷操作性および作業効率の向上を図る。【解決手段】帳票印刷アプリケーション１２は、予め作成してあるデータ項目を印刷したい位置や印刷条件を保持する印刷フォーマット１６〜１８を作成し、印刷フォーマット１６〜１８の組合せと印刷順序が指定されたならば、該組合せと該印刷順序をファイル１９に記憶し、無変更の１つの表データ１３を、１命令で各印刷フォーマット１６〜１８の条件に従って、上記ファイル１９に記憶された組合せと印刷順序で、組合せ印刷実行処理部１４から帳票印刷アプリケーション１２に対して連続印刷コマンドを発行することにより、アプリケーション１２は複数のプリンタ３０〜５０の全部ないし一部を選択して、一括して連続印刷する。【選択図】　　　　図１
2004110452.tif 000002
【特許請求の範囲】
【請求項１】
予め作成してあるデータ項目を印刷したい位置や印刷条件を保持する印刷フォーマットを作成し、
該印刷フォーマットの組合せと印刷順序が指定されたならば、該組合せと該印刷順序をファイルに記憶し、
無変更の１つの予め作成してあるデータ項目を、１命令で各印刷フォーマットの条件に従って、上記ファイルに記憶された組合せと印刷順序で、一括して連続印刷することを特徴とする帳票への組合せ印刷方法。
【請求項２】
請求項１に記載の帳票への組合せ印刷方法において、
前記予め作成してあるデータ項目が１枚目に一度だけ記載しなければならない項目、および前記データ項目の一部分をリスト記載する帳票より作成したフォーマットと、続く前記データ項目をリスト項目だけの帳票より作成したフォーマットを組合せ、
前記１枚目に一度だけ記載しなければならない項目と、前記データ項目の先頭から記載できるリスト項目分印刷し、
残りの前記データ項目を最後の前記データ項目まで印刷できる項目ずつ印刷することを特徴とする帳票への組合せ印刷方法。
【請求項３】
帳票イメージと予め作成してあるデータ項目を入力して、該帳票イメージのフィールドと前記データ項目の関連付けを行い、複数の異なるフォーマット形式で印刷するプリンタ、用紙設定、文字種類の設定を含む印刷条件を持つフォーマット種類を作成する帳票印刷アプリケーション手段と、指定された複数の異なるフォーマット形式の組合せとその印刷順序を保持する記憶媒体と、内容の異なる同じ形体の前記データ項目を毎回、一括して連続印刷するコマンドを上記アプリケーション手段に発行する組合せ印刷実行処理手段と、上記データ項目を管理するソフトウェア手段とを備えたコンピュータ、
該コンピュータに帳票イメージを入力するスキャナ、および、
該コンピュータに直接、またはネットワークを介して接続される１以上のプリンタを有することを特徴とする帳票への組合せ印刷システム。
【請求項４】
請求項１または２記載の帳票への組合せ印刷方法において、前記予め作成してあるデータ項目として、表データとすることを特徴とする組合せ印刷方法。
【請求項５】
請求項３記載の帳票への組合せ印刷システムにおいて、
前記予め作成してあるデータ項目として、表データとすることを特徴とする組合せ印刷システム。
【発明の詳細な説明】
【０００１】
【発明の属する技術分野】
本発明は、帳票への組合せ印刷方法およびシステムに関し、特に複数の異なるフォーマットの帳票や伝票を組合わせて、それらの帳票や伝票に連続して一括印刷する組合せ印刷方法およびそのシステムに関する。
【０００２】
【従来の技術】
従来、例えば、氏名、住所、電話番号、商品名、金額、納付日付、備考などが記載された１つの表データを、異なる形式の帳票フォーマット、例えば、それぞれ寸法の異なる支払伝票、請求書、見積書、宅配便宛先伝票などの用紙に印刷する場合には、１つの帳票フォーマットの印刷が終了する度毎に、ユーザが帳票フォーマットを切り替えて、フォーマットの罫線の各欄に印刷文字が収まるように調整してから、印刷を行う必要があった。
【０００３】
上述のような従来の方法では、１つの帳票フォーマット毎に、該当する枠（フィールド）に文字が収まるようにしなければならないため、表データを取り込んだ画像の編集（切り取り、切り出しなどのトリミング）作業が必要になり、非常に面倒であった。また、異なる帳票フォーマットの連続帳票に印刷する場合には、毎回帳票フォーマットを変更する作業が発生し、手間がかかるとともに、印刷のし忘れが発生するなど、作業効率が低下していた。
【０００４】
一方、従来の技術では、任意の寸法の帳票や伝票のフィールド内に、表データ内の数字や文字を自動的に位置付ける方法が提案されている。例えば、市役所などで配布された帳票に、表データの文字を種別毎に枠内に印刷するためのソフトウェアが市販されており、この方法を当て打ちと呼んでいる。すなわち、コンピュータにこのソフトウェア（文字ピタ）を読み込み、スキャナから該当する帳票イメージを読み込み、画面の半分に帳票フォーマットを表示し、残りの半分に表データを表示する。
【０００５】
例えば、ＥｘｃｅｌやＡｃｃｅｓｓの表データを活用して、データを、入力するフィールドにドラッグ・アンド・ドロップして結び付けることにより、そのフィールドが表データの何番目か、という位置を覚えるようになっている。これにより、どのようなフォームの各フィールド内の『ぴったり』の位置に表データの文字を印刷することができる。
【０００６】
【発明が解決しようとする課題】
このように、従来技術では、役所や会社などへ提出用の各種申請書、各種報告書、得意先指定伝票、見積書、納品書、請求書、宅配伝票、通知表、履歴書、振込依頼書、ＦＡＸ送信書、賞状、宛名ラベル、ビデオラベル、年賀状、挨拶状など、複数の異なるフォーマットの帳票に、同じ表データの文章や文字、数字等を１つの帳票毎に自動印刷することはできるが、これらの組合せを指定された順序で一括印刷することはできなかった。帳票フォーマットが異なるだけで、印刷する内容は同じ場合には、これらを一括して連続印刷できることが望ましい。
【０００７】
本発明の目的は、上記のような従来の課題を解決し、印刷対象となる表データの形式（並び順）を変更せずに、一度に複数のフォーマットを印刷し、表データの各帳票への印刷操作性および作業効率の向上を図ることが可能な帳票への組合せ印刷方法およびシステムを提供することにある。
【０００８】
【課題を解決するための手段】
本発明による帳票への組合せ印刷方法は、予め作成してあるデータ項目を印刷したい位置や出力するプリンタ、用紙設定、印刷設定などの印刷条件を保持する印刷フォーマットを作成した後、ユーザによりノンプログラミングでそれらのフォーマットの組合せと印刷順序が指定されたならば、該組合せと印刷順序を記憶し、１つの表データを変更することなく、１命令で各フォーマットの印刷位置や指定されたプリンタ、印刷設定に従って、記憶された組合せと印刷順序で、上記表データを一括して連続印刷することを特徴としている。
【０００９】
また、ユーザにより、１枚目が一度だけ記載しなければならない項目、例えば合計、宛先などと、リスト項目の一部分を記載する帳票より作成したフォーマットと、続くリスト項目をリスト項目だけの帳票より作成したフォーマットを組合せ、１枚目が一度だけ記載しなければならない項目と、リスト項目の先頭から記載できるリスト項数分印刷し、残りのリスト項目を最後のリスト項目まで印刷できる項目数ずつ印刷することを特徴としている。
【００１０】
また、本発明の組合せ印刷システムは、帳票イメージと表データを入力して、フィールドと表データの関連付けを行い、複数の異なるフォーマット形式で印刷するプリンタ、用紙設定、文字種類の設定などの印刷条件を持つフォーマット種類を作成するアプリケーション手段と、指定された複数の異なるフォーマット種類の組合せとその印刷順序を保持する記憶媒体と、内容の異なる同じ形体の表データを毎回、一括して連続印刷するコマンドを上記アプリケーション手段に発行する組合せ印刷実行処理手段とを備えたコンピュータと、該コンピュータに帳票イメージを入力するスキャナと、該コンピュータに直結またはネットワークを介して接続された１以上のプリンタとを有することを特徴としている。
【００１１】
【発明の実施の形態】
以下、本発明の実施形態を図面により詳細に説明する。
ここでは、予め作成したデータ項目を、表データソフトで作成された表データとして説明する。
図１は、本発明の実施形態を示す組合せ印刷システムの全体構成図である。
（システム構成）
なお、図１は、本発明の組合せ印刷方法の手順も▲１▼〜▲７▼により示している。
図中、２０はスキャナ、１０はパーソナルコンピュータ、３０，４０，５０はプリンタＡ，Ｂ，Ｃ、６０はネットワークである。また、パーソナルコンピュータ１０の破線で示す枠内は、コンピュータにインストールされるソフトウェアと内蔵されるファイルの構成である。
【００１２】
１１はスキャナ２０から入力された帳票イメージ、１２は入力された帳票イメージと、入力された表データを画面に表示し、帳票のフィールドと表データの関連付けを行って、異なるフォーマット形式と設定条件を有するフォーマット種類を作成する帳票印刷アプリケーションプログラム、１３は表データ管理ソフト、１４は本発明により新たに設けられたソフトウェアである組合せ印刷実行処理部、１９は本発明により新たに設けられたフォーマットファイルの組合せと印刷順序を保持するファイル、１６，１７，１８はいずれもアプリケーションプログラム１２により作成された異なるフォーマット形式と出力するプリンタを設定したフォーマット種類Ａ，Ｂ，Ｃである。
【００１３】
（印刷方法）
以下、本発明の帳票への組合せ印刷方法の手順を▲１▼〜▲７▼により説明する。
まず、データ管理アプリケーション（表データ管理ソフト１３、帳票印刷アプリケーション１２など）およびテキストファイルなどで作成された表形式のデータを用意しておく。
▲１▼スキャナ２０から、表データが印刷されるフィールドを備えた帳票のイメージをパーソナルコンピュータ１０に取り込む。
【００１４】
▲２▼帳票印刷アプリケーションプログラム１２は、入力された帳票イメージと、表データ管理ソフト１３から印刷したい表データとを読み込み、画面に表示する。
▲３▼データ項目を指定位置へ印刷するアプリケーション１２において、▲１▼で読み込んだ帳票イメージ上の入力位置に入力領域を設け、フィールドと表データの関連付けを行う。
▲４▼アプリケーション１２は、帳票イメージの領域に対して文字属性（文字飾り、フォント、文字サイズ、文字位置等）、入力項目に対応する表データ項目の位置設定、プリンタへの出力方法、印刷単位、印刷開始位置などの設定を行い、フォーマットとしてファイル媒体１６，１７，１８に保存する。
１つの表データを複数の帳票に印刷するため、印刷したい数分、上記▲２▼〜▲３▼の操作を繰り返し、フォーマット種類を作成する。
【００１５】
▲５▼一度に印刷実行したいフォーマットを選択して、組合せおよび印刷する順序を組合せファイル１９として保持する。
▲６▼組合せ印刷実行処理部１４は、データ項目を指定位置へ印刷するアプリケーション１２に対して、▲５▼で作成した組合せファイル１９から格納されている順番にフォーマットファイルの内容を読み込み、印刷方式、印刷単位、開始行を解析し、帳票フォーマットの入力項目に対応する表データ項目を設定し、印刷するプリンタと、そのプリンタの指定された印刷位置に印刷するコマンドを発行する。
▲７▼帳票印刷アプリケーションプログラム１２は、コマンドを受け取ると、プリンタ３０，４０，５０を制御して、コマンドに従って、指定された印刷方式、印刷単位、開始行に一致させた条件で、指定されたプリンタと、該プリンタの指定された印刷位置に印刷する。
【００１６】
（当て打ち印刷（ソフト）の機能）
帳票印刷アプリケーションプログラム１２（当て打ち印刷（ソフト））は、表データとイメージファイルを読み込み、イメージ上に作成した入力領域と表データ位置の関連付けを行い、表データを指定された印刷形式（行単位、複数行単位、シート単位）で、各プリンタに印刷し、それらの情報をフォーマットとして媒体に保持する機能を有する。
また、組合せ印刷実行処理部１４から、印刷したい表データと指定されたフォーマットを基に、指定したプリンタに帳票印刷を行う機能も有する。
【００１７】
（フォーマットファイル）
組合せ印刷に使用する個々のフォーマット１６〜１８には、帳票印刷アプリケーションプログラム１２（当て打ち印刷（ソフト））で作成された情報、すなわち、以下の情報が保持されている。
（イ）１ファイルには、１フォーマットを格納する。
（ロ）１つの帳票イメージを格納する。
（ハ）文字列（表データ）を入力したい入力領域（フィールド）を格納する。
（ニ）文字列の表現方法（フォント、文字サイズ、など）を格納する。
（ホ）表データの印刷方式（後述のフォーマットの印刷形式を参照）を格納する。
（ヘ）印刷したいプリンタの情報（用紙設定、用紙方向、各種設定）を格納する。
（ト）印刷位置の誤差を調整するための位置ずらし情報を格納する。
【００１８】
（表データ管理ソフト）
表データ管理ソフト（アプリケーション）１３は、以下の情報が管理されている。
（ａ）データベースを管理する。
（ｂ）表データを管理する。
【００１９】
（プリンタ）
プリンタ３０〜５０は、ローカル接続（プリンタ３０，４０）およびネットワーク接続（プリンタ５０）のいずれにも出力することができる。
【００２０】
（組合せ設定部）
図２は、本発明における画面上の組合せ設定部の説明図である。
図２に示す画面により、組合せするフォーマットファイルを選択し、それぞれのフォーマットの印刷順序を設定し、組合せファイルを作成する。すなわち、
〔挿入〕をクリックすることにより、ファイルダイアログが開かれ、選択された帳票フォーマットファイルのパスと〔単位印刷方式〕を組合せリストの現在の位置に挿入する。
〔削除〕をクリックすることにより、組合せリストで現在選択されているリスト項目をリストから削除する。
〔上へ〕，〔下へ〕をクリックすることにより、現在選択されているフォーマットを上位置、下位置に移動する。
〔ＯＫ〕をクリックすることにより、設定した組合せ情報をファイルに保存する。
【００２１】
（組合せ印刷実行部）
図３は、本発明における画面上の組合せ印刷実行部の説明図である。
図３の画面により、組合せファイルを選択し、印刷したい表データで組合せ印刷を実行する。すなわち、〔リスト編集〕をクリックして選択したい組合せファイル名を表示させ、次に日付設定を確認し、送付するデータ範囲に、選択されたレコード範囲、印刷部数を設定した後、〔印刷〕をクリックすることで、組合せ印刷を実行する。
【００２２】
（フォーマットの印刷形式）
図４〜図６は、本発明におけるフォーマットの印刷形式の説明図である。
図４は行単位印刷の場合、図５は複数行単位印刷の場合、図６はシート単位印刷の場合を示している。すなわち、帳票印刷アプリケーションプログラム１２（文字ピタソフト）では、３種類の帳票印刷形式があり、これらの組合せにより種々の帳票印刷を行うことができる。なお、右側の画面は文字ピタソフト起動時に、帳票イメージと表データが画面の半分ずつに表示されたものであり、左側にはその帳票イメージを明瞭に示した図である。
【００２３】
（イ）行単位印刷では、表データの上の１行を１フォーム（帳票）に印刷する形式であり、主に住所録などの１行１件のデータ形式を宅配便伝票に印刷する場合に使用する。
（ロ）複数行単位印刷では、表データの上の複数行を１フォームに印刷する形式であり、主に複数行を１枚のラベルなどに印刷する場合に使用する。
（ハ）シート単位印刷では、表データ上の全データを１フォームに印刷する形式であり、主に全データを納品書などに印刷する場合に使用する。
【００２４】
（具体例：請求項１に対応）
図７は、本発明の実施例１（請求項１に対応）を示す印刷方法の説明図である。
この説明は、リスト順に全てのテンプレートを繰り返して印刷する事例である。
顧客情報が記載されている表データがあり、それらの１件（１行）のデータを領収書、見積り書、納品書の異なった帳票に一度に印刷する場合を考える。
条件として、（イ）表データは、表計算ソフトの１シートで管理され、見積り計算式などが予め計算、記述されている。（ロ）領収書Ａ、配達伝票Ｂ、納品書Ｃとし、それぞれのフォーマットファイル（入力領域、印刷位置、印刷形式、開始行、単位行）を作成しておく。
【００２５】
（ハ）フォーマットＡは、ネットワークに接続されたプリンタのトレー１に〔文字だけを印刷〕で出力される設定が保存されている（トレー１には、領収書の原稿がセットされている）。（ニ）フォーマットＢは、コンピュータに接続されたドットプリンタに〔印刷データと背景つき〕で出力される設定が保存されている（配達伝票専用の用紙がセットしてある）。
（ホ）フォーマットＣは、フォーマットＡを印刷するネットワーク接続されたプリンタのトレー２に〔文字だけを印刷〕で出力される設定が保存されている（トレー２には、納品書の原稿がセットされている）。（ヘ）各フォーマットは、印刷位置合せ済みになっており、各プリンタに正常に印刷できているものとする。
【００２６】
図７において、操作手順を説明すると、組合せファイル１９を一度作成する必要があるが、以後、印刷する表データ１３と組合せファイル１９を選択し、印刷を実行するだけで、自動的に帳票Ａ，Ｂ，Ｃが各印刷設定で各プリンタ３０，４０，５０に自動で印刷される。印刷結果は、３０Ａ，４０Ｂ，５０Ｃに示す通りである。１件の印刷データがフォーマットＡの印刷設定、フォーマットＢの印刷設定、フォーマットＣの印刷設定により、自動的に表データ分印刷される。
【００２７】
（具体例、請求項２に対応）
図８、図９および図１０は、本発明の実施例２（請求項２に対応）を示す連続帳票への印刷方法の説明図であって、図８は印刷の対象帳票とその説明図、図９は図８における表データの例を示す図、図１０印刷結果を示す図である。
以下、商品の見積もりデータを、連続帳票Ａ，Ｂに印刷する場合を考え、印刷する帳票が１枚目と２枚目以降が異なるタイプの表データの印刷が１度で実行可能になる事例を説明する。
【００２８】
条件としては、
（イ）表データ：表計算ソフトのシートで管理され、見積もり計算式などが記述されている。
（ロ）Ａ帳票：１枚目に見積もり合計と商品リストの記入項目のある帳票である。
（ハ）Ｂ帳票：Ａ帳票に収まり切らなかった商品リストの記入項目のある帳票（２枚目以降）である。
（ニ）それぞれのフォーマットファイル（入力領域、印刷位置、印刷形式、開始行、単位行）を作成しておく。
（ホ）各フォーマットは、印刷位置合わせ済みになっており、各プリンタに正常に印刷できているものとする。
【００２９】
（操作）
組合せファイルを一度作成する必要はあるが、以後は、印刷する表データと組合せファイルを選択して、印刷を実行するだけで、自動的に帳票ＡとＢの連続帳票に印刷される。すなわち、
ａ）新規に組合せファイルを作成し、フォーマットＡ．ＭＪＸ，Ｂ．ＭＪＸを順に登録設定する。
ｂ）表計算ソフトで、帳票Ａ，Ｂの両方で印刷するデータ範囲を選択し、フォーム印刷の画面より、ａ）で作成した組合せファイルを選択し、組合せ印刷を実行する。
【００３０】
表データの例として、図９の場合には、集計データ部分と２０１〜３００行までのリストデータＡを印刷する。すなわち、表データの１枚目が一度だけ記載しなければならない項目、およびリスト項目の一部分を記載する帳票より作成したフォーマットと、続くリスト項目をリスト項目だけの帳票より作成したフォーマットを組合せ、前記１枚目が一度だけ記載しなければならない項目と、リスト項目の先頭から記載できるリスト項目数分印刷する（請求項２の前半部分）。
次に、３０１行からリストデータ２００行分ずつを印刷する。すなわち、残りのリスト項目を最後のリスト項目まで印刷できる項目ずつ印刷する（請求項２の後半部分）。
【００３１】
図１０を説明すると、表データ１３のデータを、組合せファイル１９Ａに設定されている順にフォーマットを読み込み、プリンタ３０に出力することにより、印刷結果としてフォーマットＡ３０ＡとフォーマットＢ３０Ｂが連続して印刷される。すなわち、
イ）集計データとリストデータの先頭からの一部が、フォーマットＡがシート単位で１枚印刷される（集計データ１〜２００行と、リストデータ２０１〜３００行）。
ロ）残りのリストデータ部分が、フォーマットＢで３０１〜８００行まで、複数行単位で印刷される（２００行ごとに、３０１〜８００行が３頁で印刷される）。
【００３２】
図１１は、本発明の組合せ印刷のフローチャートである。
組合せ印刷は、表データを図１１のような順序で印刷する。
部数１で印刷する場合には、
１）フォーマットファイルＡ．ＭＪＸと表データを読み込み（ステップ１００Ａ）、表データを関連付けられる入力領域に指定された印刷形式で印刷する（ステップ１０１Ａ）。
２）フォーマットファイルＢ．ＭＪＸと表データを読み込み（ステップ１００Ｂ）、表データを関連付けられる入力領域に指定された印刷形式で印刷する（ステップ１０１Ｂ）。
３）フォーマットファイルＣ．ＭＪＸと表データを読み込み（ステップ１００Ｃ）、表データを関連付けられる入力領域に指定された印刷形式で印刷する（ステップ１０１Ｃ）。
【００３３】
部数ｎで印刷する場合には、
１）フォーマットファイルＡ．ＭＪＸと表データを読み込み（ステップ１００Ａ）、表データを関連付けられる入力領域に指定された印刷形式で、Ａフォーマットだけを指定された部数ｎ分印刷する（ステップ１０１Ａ，１０２Ａ）。
２）フォーマットファイルＢ．ＭＪＸと表データを読み込み（ステップ１００Ｂ）、表データを関連付けられる入力領域に指定された印刷形式で、Ｂフォーマットだけを指定された部数ｎ分印刷する（ステップ１０１Ｂ，１０２Ｂ）。
３）フォーマットファイルＣ．ＭＪＸと表データを読み込み（ステップ１００Ｃ）、表データを関連付けられる入力領域に指定された印刷形式で、Ｃフォーマットだけを指定された部数ｎ分印刷する（ステップ１０１Ｃ，１０２Ｃ）。
【００３４】
部単位印刷に対応する場合には、
１）フォーマットファイルＡ．ＭＪＸと表データを読み込み（ステップ１００Ａ）、表データを関連付けられる入力領域に指定された印刷形式で、１部印刷する（ステップ１０１Ａ）。
２）フォーマットファイルＢ．ＭＪＸと表データを読み込み（ステップ１００Ｂ）、表データを関連付けられる入力領域に指定された印刷形式で、１部印刷する（ステップ１０１Ｂ）。
３）フォーマットファイルＣ．ＭＪＸと表データを読み込み（ステップ１００Ｃ）、表データを関連付けられる入力領域に指定された印刷形式で、１部印刷する（ステップ１０１Ｃ，１０２Ｃ）。
部数分、１）〜３）を繰り返し印刷する（ステップ１０３）。
【００３５】
図１１のフローチャートで明らかなように、部数ｎで印刷する場合には、Ａ．ＭＪＸ，Ｂ．ＭＪＸ，Ｃ．ＭＪＸごとにｎ部ずつ印刷され、プリンタの出力側には、Ａ，Ｂ，Ｃ毎にｎ部ずつ印刷物が出力されるので、利用者は人手で１部ずつ区分けを行う必要がある。これに対して、部単位印刷でｎ部を印刷する場合には、Ａ．ＭＪＸ、Ｂ．ＭＪＸ，Ｃ．ＭＪＸを１部ずつ印刷し、これをｎ回繰り返し印刷するので、プリンタの出力側には、印刷物が１部ずつｎ組が出力される。従って、区分けは既に済んでいるため、利用者の区分作業は不要である。
【００３６】
なお、予め作成したデータ項目として、表データ以外に、テキスト、ＸＭＬ、ＳＧＭＬ、ＨＴＭＬなどのデータ形式が可能である。
【００３７】
【発明の効果】
以上説明したように、本発明によれば、１つの表データの並び順（形式）を変更せずに、印刷するプリンタ情報が保持されているフォーマットを組み合せることにより、１度に複数のフォーマットを複数のプリンタに印刷するので、作業効率が向上し、印刷忘れなどの不都合も解消される（請求項１）。
【００３８】
また、従来のように、１ページと２ページ以降ごとにフォーマットを分けて、フォーマットのページ毎に表データを加工し、用意する必要はなく、表データを加工せず、２つのフォーマットを変更せず、既存のフォーマットを再利用して組合せることで、簡単で、手間もかけずに、連続帳票への印刷が可能になる（請求項２）。
【００３９】
また、内容の異なる表データを毎回印刷したい複数の帳票に、不備なく、手間もかからず、正しく印刷することができる。さらに、新たにテンプレートを作り直す作要はなく、既存のフォーマットを組合せることにより、様々な印刷を行うことができる（請求項３）。
【図面の簡単な説明】
【図１】本発明の一実施例を示す組合せ印刷システムのブロック構成図である。
【図２】図１における画面上の組合せ設定部の説明図である。
【図３】図１における画面上の組合せ印刷実行部の説明図である。
【図４】本発明におけるフォーマットの印刷形式のうち行単位印刷の説明図である。
【図５】本発明におけるフォーマットの印刷形式のうち複数行単位印刷の説明図である。
【図６】本発明におけるフォーマットの印刷形式のうちシート単位印刷の説明図である。
【図７】本発明の実施例１（請求項１）の組合せ印刷方法の手順の説明図である。
【図８】本発明の実施例２（請求項２）の組合せ印刷方法の詳細の説明図である。
【図９】同じく、実施例２（請求項２）の組合せ印刷方法の詳細出力の説明図である。
【図１０】同じく、実施例２（請求項２）の組合せ印刷方法の手順の説明図である。
【図１１】本発明の実施例１，２の手順を示すフローチャートである。
【符号の説明】
１０…コンピュータ、１１…帳票イメージ、
１２…帳票印刷アプリケーション、１３…表データ管理ソフト、
１４…組合せ印刷実行処理部、１５…フィールドと表データの関連付け、
１６…フォーマットＡプリンタＡ出力、
１７…フォーマットＢプリンタＢ出力、
１８…フォーマットＣプリンタＣ出力、
１９…組合せファイル、２０…スキャナ、３０…プリンタＡ、
４０…プリンタＢ、５０…プリンタＣ、６０…ネットワーク、
１９Ａ…組合せファイル、３０Ａ…フォーマットＡ印刷結果、
４０Ｂ…フォーマット印刷結果、５０Ｃ…フォーマットＣ印刷結果。
【図１】
2004110452.tif 000003
【図２】
2004110452.tif 000004
【図３】
2004110452.tif 000005
【図４】
2004110452.tif 000006
【図５】
2004110452.tif 000007
【図６】
2004110452.tif 000008
【図７】
2004110452.tif 000009
【図８】
2004110452.tif 000010
【図９】
2004110452.tif 000011
【図１０】
2004110452.tif 000012
【図１１】
2004110452.tif 000013